(57)【要約】【課題】ＬＥＤ実装モジュール内部への水の浸入を抑制することのできるＬＥＤ表示パネルを提供すること。【解決手段】ＬＥＤ実装モジュール１０と、ＬＥＤ実装モジュール１０を表面上に載置可能な載置面１１１ａを少なくとも有するＬＥＤ実装モジュール補強部１１と、を備えるＬＥＤ表示パネル１００であって、ＬＥＤ実装モジュール補強部１１は、側壁部１１２を備え、側壁部１１２のＬＥＤ実装モジュール１０と対向する側の面である内側の表面とＬＥＤ実装モジュール１０とが接着層２４を介して接着されているＬＥＤ表示パネル１００である。【選択図】図４
2017146370.tif 000002
【特許請求の範囲】
【請求項１】
ＬＥＤ実装モジュールと、該ＬＥＤ実装モジュールを表面上に載置可能な載置面を少なくとも有するＬＥＤ実装モジュール補強部と、を備えるＬＥＤ表示パネルであって、
前記ＬＥＤ実装モジュール補強部は、側壁部を備え、
前記側壁部の前記ＬＥＤ実装モジュールと対向する側の面である内側の表面と前記ＬＥＤ実装モジュールとが接着層を介して接着されているＬＥＤ表示パネル。
【請求項２】
表面側シートと裏面側シートとの間に前記ＬＥＤ実装モジュールが収容されていて、
前記裏面側シートの上に前記ＬＥＤ実装モジュール補強部が設置されていて、
前記ＬＥＤ実装モジュール補強部の前記側壁部の前記内側の表面の反対側の面である外側の表面に、前記表面側シートの内側の面が密着している請求項１に記載のＬＥＤ表示パネル。
【請求項３】
前記表面側シートと前記裏面側シートとが密着してなる折畳み可能な連接部を備えた請求項２に記載のＬＥＤ表示パネル。
【請求項４】
前記ＬＥＤ実装モジュール補強部が、ＪＩＳ  Ｋ７２４４−１に基づいて測定された、温度−ｔａｎδ曲線におけるｔａｎδピーク温度の極大値である貯蔵弾性率が５０ＭＰａ以上の材質からなる請求項１から３のいずれかに記載のＬＥＤ表示パネル。
【請求項５】
前記接着層がケイ素を有する官能基を有する樹脂を含有する樹脂層である請求項１から４のいずれかに記載のＬＥＤ表示パネル。
【請求項６】
請求項１から５のいずれかに記載のＬＥＤ表示パネルを情報表示部として備えるＬＥＤ情報表示装置。
【発明の詳細な説明】
【技術分野】
【０００１】
本発明は、主としてＬＥＤ表示パネル及びそれを用いたＬＥＤ情報表示装置に関する。
【背景技術】
【０００２】
近年、マトリックス状に実装したＬＥＤ素子を選択的に発光させることにより、所望の文字や記号等の情報を表示するドットマトリックス表示装置等、各種のＬＥＤ情報表示パネルが急速に普及している（特許文献１参照）。このようなＬＥＤ情報表示パネルは、例えば、高速道路等における交通情報の情報表示装置としても普及が進んでいる。
【０００３】
実際に、高速道路の各所には、そのようなＬＥＤ情報表示パネルが設置されていて、様々な交通情報を表示し、随時、通行車両に伝達している。しかしながら、交通事故等の突発的且つ深刻な道路状況の変化が発生した場合等においては、そのような特定の位置に固定的に常設された表示装置のみによっては、必ずしも不特定の場所、時間で発生する事故等に速やかに対応して、必要な情報を必要な場所において表示することができない。
【０００４】
この問題に対処するため、軽量で折畳み可能であることにより、必要な時に、必要な位置（例えば、高速道路における事故現場）への搬送が容易であり、且つ、設置場所における設置と撤収を短時間で行うことが可能な携帯型のＬＥＤ情報表示パネルが提案されている（特許文献２参照）。
【先行技術文献】
【特許文献】
【０００５】
【特許文献１】特開２００８−２１８６７４号公報
【特許文献２】特開２０１１−４０５７０号公報
【発明の概要】
【発明が解決しようとする課題】
【０００６】
特許文献１に記載のＬＥＤ情報表示装置においては、複数のＬＥＤ実装モジュールが一方向に連接する態様で樹脂シートからなるカバーシート（収容シート）に収容されている。そして、この収容シートのうち、上記の各ＬＥＤ実装モジュールの間の連接部となっている部分が、折曲げ可能部分となっており、搬送時にはこの部分を折り曲げてコンパクトに折り畳むことができる構造を有している。
【０００７】
しかしながら、この折曲げ可能部分（連接部）において、繰返し折り畳まれることに起因して、収容シートとＬＥＤ実装モジュールとが剥離する場合がある。ＬＥＤ情報表示装置を屋外に設置し、収容シートとＬＥＤ実装モジュールとが剥離した場合、雨等によって収容シートとＬＥＤ実装モジュールとが剥離した箇所からＬＥＤ実装モジュール内部へと水が浸入することが、特にこのような折畳みタイプのＬＥＤ情報表示装置において問題となっていた。
【０００８】
本発明は、ＬＥＤ実装モジュール内部への水の浸入を抑制することのできるＬＥＤ表示パネルを提供することを目的とする。
【課題を解決するための手段】
【０００９】
本発明者らは、上記課題を解決すべく、鋭意検討を行ったところ、ＬＥＤ実装モジュールを表面上に載置可能な載置面を有するＬＥＤ実装モジュール補強部に、更に側壁部を備えることにより上記課題を解決することができることを見出し、本発明を完成するに至った。具体的には本発明は以下のものを提供する。
【００１０】
（１）  ＬＥＤ実装モジュールと、該ＬＥＤ実装モジュールを表面上に載置可能な載置面を少なくとも有するＬＥＤ実装モジュール補強部と、を備えるＬＥＤ表示パネルであって、前記ＬＥＤ実装モジュール補強部は、側壁部を備え、前記側壁部の前記ＬＥＤ実装モジュールと対向する側の面である内側の表面と前記ＬＥＤ実装モジュールとが接着層を介して接着されているＬＥＤ表示パネル。
【００１１】
（１）の発明によれば、側壁部の内側の表面とＬＥＤ実装モジュールとが接着層を介して接着されているため、ＬＥＤ実装モジュール内部への水の浸入を抑制することができる。又、ＬＥＤ実装モジュール補強部は、側壁部を備えていることにより、ＬＥＤ実装モジュール自体の剛性（強度）を更に向上させることができる。
【００１２】
（２）表面側シートと裏面側シートとの間に前記ＬＥＤ実装モジュールが収容されていて、前記裏面側シートの上に前記ＬＥＤ実装モジュール補強部が設置されていて、前記ＬＥＤ実装モジュール補強部の前記側壁部の前記内側の表面の反対側の面である外側の表面に、前記表面側シートの内側の面が密着している（１）に記載のＬＥＤ表示パネル。
【００１３】
（２）の発明によれば、（１）の発明の効果に加え、ＬＥＤ実装モジュールが表面側シートと裏面側シートとの間に収容されていて、ＬＥＤ実装モジュール補強部の側壁部の外壁側表面と表面側シートの内側の面とが密着しているため、ＬＥＤ実装モジュールを保護することができる。更に、表面側シートと裏面側シートとの間に前記ＬＥＤ実装モジュールが収容されることから、接着層が外気に晒されなくなり、更にＬＥＤ実装モジュール内部への水の浸入を抑制することができる。
【００１４】
（３）前記表面側シートと前記裏面側シートとが密着してなる折畳み可能な連接部を備えた（２）に記載のＬＥＤ表示パネル。
【００１５】
（３）の発明によれば、（２）の発明の効果に加え、折畳み可能な連接部を備えているため、ＬＥＤ実装モジュールを含む単位部分毎に積み重なる態様で折り畳むことができる。
【００１６】
（４）前記ＬＥＤ実装モジュール補強部が、ＪＩＳ  Ｋ７２４４−１に基づいて測定された、温度−ｔａｎδ曲線におけるｔａｎδピーク温度の極大値である貯蔵弾性率が５０ＭＰａ以上の材質からなる（１）から（３）のいずれかに記載のＬＥＤ表示パネル。
【００１７】
（４）の発明によれば、（１）から（３）の発明の効果に加え、貯蔵弾性率が５０ＭＰａ以上の剛性の高い材質からなるＬＥＤ実装モジュール補強部とすることができる。
【００１８】
（５）前記接着層がケイ素を有する官能基を有する樹脂を含有する樹脂層である（１）から（４）のいずれかに記載のＬＥＤ表示パネル。
【００１９】
（５）の発明によれば、（１）から（４）のいずれかに記載の発明の効果に加え、接着層がケイ素を有する官能基を有する樹脂を含有する樹脂層であることにより、更に側壁部の内壁側表面とＬＥＤ実装モジュールとの気密性を向上することができる。それにより、ＬＥＤ実装モジュール内部への水の浸入をより効果的に抑制することができる。
【００２０】
（６）（１）から（５）のいずれかに記載のＬＥＤ表示パネルを情報表示部として備えるＬＥＤ情報表示装置。
【００２１】
（６）の発明によれば、（１）から（５）のいずれかに記載の発明の効果を有するＬＥＤ情報表示装置とすることができる。
【発明の効果】
【００２２】
本発明のＬＥＤ表示パネルは、ＬＥＤ実装モジュール内部への水の浸入を抑制することができる。
【図面の簡単な説明】
【００２３】
【図１】本発明のＬＥＤ情報表示装置の全体構成を示す斜視図である。
【図２】本発明のＬＥＤ表示パネルの部分透視平面図である。
【図３】本発明のＬＥＤ表示パネルの部分拡大平面図である。
【図４】図３のＬＥＤ表示パネルのＡ−Ａ線における断面を模式的に示す断面図である。
【図５】ＬＥＤ実装モジュール内部への水の浸入を抑制することができないＬＥＤ表示パネルの断面を模式的に示す断面図である。
【図６】図３のＬＥＤ表示パネルのＡ−Ａ線における断面図において隙間Ｄが発生したＬＥＤ表示パネルの断面を模式的に示す断面図である。
【図７Ａ】本発明のＬＥＤ表示パネルの折畳み方の説明に供する斜視図である。
【図７Ｂ】本発明のＬＥＤ表示パネルが折り畳まれた状態を示す斜視図である。
【発明を実施するための形態】
【００２４】
以下、本発明のＬＥＤ表示パネルについて説明し、その後、本発明のＬＥＤ表示パネル及びそれを用いてなるＬＥＤ情報表示装置の好ましい一実施形態について詳細に説明する。本発明は、以下の実施形態に何ら限定されず、本発明の目的の範囲内において、適宜変更を加えて実施することができる。
【００２５】
＜ＬＥＤ表示パネル＞
本発明のＬＥＤ表示パネルは、ＬＥＤ実装モジュール１０と、ＬＥＤ実装モジュール１０を表面上に載置可能な載置面１１１ａを少なくとも有するＬＥＤ実装モジュール補強部１１と、を備える。又、ＬＥＤ実装モジュール補強部１１には、側壁部１１２を備える。側壁部１１２とは、載置面１１１ａの外周から立設するように壁状に形成されているＬＥＤ実装モジュール補強部１１の一部分である。尚、底面部１１１と側壁部１１２は本発明の説明上、図４及び図６にて点線を用いて明確に分けて記載しているが、底面部１１１と側壁部１１２はそれぞれ別々の部材であることを意味するものではなく、底面部１１１と側壁部１１２が、それぞれＬＥＤ実装モジュール補強部１１の一部分であることを意味する。後述するように、ＬＥＤ実装モジュール補強部１１は、同じ材質又は異なる材質からなる板を接着することにより形成されたＬＥＤ実装モジュール補強部のみならず、金属板の端部を折り曲げることにより形成された１の材質からなるような一体的なＬＥＤ実装モジュール補強部も例示することができる。
【００２６】
更に、本発明のＬＥＤ表示パネルは、側壁部１１２のＬＥＤ実装モジュールと対向する側の面である内側の表面とＬＥＤ実装モジュール１０とが接着層２４を介して接着されている。剛性を有する側壁部１１２の内壁側表面とＬＥＤ実装モジュール１０とが接着層２４を介して接着されているため、ＬＥＤ実装モジュール内部への水の浸入を抑制することができる。又、側壁部１１２が形成されていることにより、ＬＥＤ実装モジュール自体の剛性（強度）を更に向上させることができる。尚、ＬＥＤ実装モジュール内部への水の浸入を抑制可能な好ましい接着層２４については後述する本発明の一の実施形態のＬＥＤ表示パネルを用いて説明する。
【００２７】
又、本発明のＬＥＤ表示パネル１００には、ＬＥＤ実装モジュール１０を収容する表面側シート１２と裏面側シート１３とを備えることが好ましい。表面側シート１２と裏面側シート１３との間にＬＥＤ実装モジュール１０を収容することにより、ＬＥＤ実装モジュール１０を保護することができる。更に、ＬＥＤ実装モジュール補強部１１の側壁部１１２の内側の表面に、表面側シートの内側の面が密着した構成とすることで、接着層２４が外気に晒されなくなることから、更にＬＥＤ実装モジュール内部への水の浸入を抑制することができる。
【００２８】
更に、表面側シート１２と裏面側シート１３とを備えた本発明のＬＥＤ表示パネル１００は、表面側シート１２と裏面側シート１３とが密着してなる折畳み可能な連接部１５を備えていることが好ましい。折畳み可能な連接部１５を備えることにより、ＬＥＤ実装モジュールを含む単位部分毎に積み重なる態様で折り畳むことができる。本発明のＬＥＤ表示パネル１００は、特に、折畳み可能な連接部を備えたＬＥＤ表示パネルにおいて特に有用である。尚、本発明の構成が、折畳み可能な連接部を備えたＬＥＤ表示パネルにおいて特に有用である理由については、後述する。
【００２９】
以下、本発明の好ましい一実施形態について説明する。本発明は、以下の実施形態に何ら限定されるものではない。
【００３０】
＜ＬＥＤ表示パネルの一実施形態＞
本発明の一実施形態のＬＥＤ表示パネル１００は、図１に示すように、複数のＬＥＤ実装モジュール１０が、水平方向に複数連接されてなる情報表示装置である。ＬＥＤ実装モジュール１０とは、複数のＬＥＤ素子３がＬＥＤ素子用基板にマトリックス状に実装されてなる部材であり、文字情報等を表示可能な表示部材である。複数のＬＥＤ実装モジュール１０は、図４に示す通り、収容シート１４を構成する表面側シート１２と裏面側シート１３との間に、安定的に収容されている。尚、以下、複数のＬＥＤ実装モジュール１０が、一方向に向けて直線的に連接されているＬＥＤ表示パネル１００を、本発明の代表的な実施形態として説明するが、例えば、ＬＥＤ実装モジュールが平面上においてＸＹ両方向に配置されていてマトリックス状に連接されているものも、他の必須の構成要件を充足するものである限り本発明の範囲内である。
【００３１】
ＬＥＤ表示パネル１００においては、図２に示すように、各のＬＥＤ実装モジュール１０が、所定の間隔を開けて、直線状に、個別に、収容シート１４に収容されている。そして、各のＬＥＤ実装モジュール１０は、収容シート１４の内部に埋設されている可撓性を有する配線４によって、中継基盤５及びドライバ６等からなる内部制御部に導通されている。
【００３２】
ＬＥＤ表示パネル１００は、更に、必要に応じて、外部操作基盤７の他、必要な機器と接続されることによって、ＬＥＤ情報表示装置２００を構成する。ＬＥＤ情報表示装置２００は、ＬＥＤ表示パネル１００を必要に応じて各種の補助器具（図視せず）によって自立させるか、或いは、設置場所の壁の表面に着設する等することによって主に屋外に非恒常的に設置される情報表示装置として使用される。
【００３３】
ＬＥＤ表示パネル１００は、図７Ａ及び図７Ｂに示すように搬送時や保管時等には個々のＬＥＤ実装モジュール１０を含む単位部分毎に積み重なる態様で折り畳むことができる構造を有する。折畳み方は上記態様であることの他については、特定の折畳み方には限定されないが、ＬＥＤ表示パネル１００が３個以上のＬＥＤ実装モジュールを連接する場合においては、九十九折に折り畳むことができる構造を有するものであることが好ましい。九十九折とは、複数の面体が連接されて構成される対象において、隣り合う面体同士が、表面―表面、裏面―裏面が順番に重合しあうように折り畳まれる構造を言う。
【００３４】
＜防水性補強構造＞
防水性補強構造は、ＬＥＤ表示パネルの防水性を向上させる機能を有する補強構造であって、図４に示すように、表面側シート１２と裏面側シート１３からなる収容シート１４と、ＬＥＤ実装モジュール補強部１１と、を備える構造である。
【００３５】
収容シート１４は、表面側シート１２と裏面側シート１３との間にＬＥＤ実装モジュール１０が収容可能であって、表面側シート１２と裏面側シート１３とが密着してなる折畳み可能な連接部１５を備える。収容シート１４は、複数のＬＥＤ実装モジュール１０を安定的に収容することができる。又、収容シート１４は、後述するように表面側シート１２と裏面側シート１３の２枚の可撓性を有するシートから構成されているため、２枚のシートが密着してなる連接部１５において折り畳むことができる。本実施形態に関する収容シート１４については後述する。
【００３６】
［ＬＥＤ実装モジュール補強部］
本実施形態に関するＬＥＤ実装モジュール補強部１１は、裏面側シート１３の上に設置される。又、ＬＥＤ実装モジュール補強部１１は、底面部１１１と、側壁部１１２と、を備え、ＬＥＤ実装モジュール１０を表面上に載置可能な載置面１１１ａを少なくとも有する。ＬＥＤ実装モジュール補強部１１は、ＬＥＤ実装モジュール１０を載置し、ＬＥＤ実装モジュール１０補強する機能を有するとともに、ＬＥＤ実装モジュール１０内部への水の浸入を抑制する機能をも有する。
【００３７】
図５のように、側壁部を有さず単に板状のＬＥＤ実装モジュール補強部１１Ａを備えたＬＥＤ表示パネル１００ＡのＬＥＤ実装モジュールの内部へと水が浸入する原因を説明する。ＬＥＤ表示パネル１００Ａを折り畳むために、収容シート１４の連接部１５を屈曲させた場合、収容シート１４はその形状が変化する可撓性を有するシートであるため、連接部１５の屈曲によって、収容シート１４の表面側シート１２１がＬＥＤ実装モジュールから剥離する方向に応力が掛かる。そして、その応力によって収容シート１４の表面側シート１２１が剥離し、隙間Ｄが発生する。隙間Ｄが発生した場合、隙間Ｄに雨等が侵入し、支持基板２１とスペーサー２２との間からＬＥＤ実装モジュール内部へと水が浸入する。
【００３８】
そこで、本実施形態のＬＥＤ表示パネル１００における防水性補強構造では、図６のように、ＬＥＤ実装モジュール補強部１１に更に側壁部１１２を備え、側壁部１１２の外壁側表面に、表面側シート１２１の内側の面が密着し、且つ、側壁部１１２の内側の表面の反対側の面である外側の表面と、ＬＥＤ実装モジュール１０と、が接着層２４を介して密着する構成とした。ＬＥＤ実装モジュール補強部１１の側壁部１１２は、可撓性を有する表面側シート１２１とは異なり剛性を有する。そのため、収容シート１４の連接部１５の屈曲によってＬＥＤ実装モジュール補強部１１の形状は変化しない。したがって、収容シート１４の連接部１５の屈曲によって接着層２４に応力がかかることはなく、収容シート１４の屈曲によってＬＥＤ実装モジュール１０と、ＬＥＤ実装モジュール補強部１１の側壁部１１２と、は剥離しない。又、収容シート１４の連接部１５の屈曲によって、図６のように、表面側シート１２１がＬＥＤ実装モジュール補強部１１の側壁部１１２から剥離した場合であったとしても、側壁部１１２を備えることによって、支持基板２１とスペーサー２２との間からＬＥＤ実装モジュール内部へと水が浸入することはない。よって、本実施形態に関するＬＥＤ実装モジュール補強部１１を備えたＬＥＤ表示パネル１００であれば、ＬＥＤ実装モジュール１０内部への水の浸入を抑制することができる。
【００３９】
このように、本発明のＬＥＤ表示パネルは、収容シートである表面側シートと裏面側シートとの間にＬＥＤ実装モジュールが収容され、且つ、表面側シートと裏面側シートとが密着してなる折畳み可能な連接部を備えたＬＥＤ表示パネルである場合に特に有用である。尚、本実施形態において「剛性を有する」とは、収容シートの連接部１５の屈曲によって形状が殆ど変化しない程度の剛性を有することを意味する。
【００４０】
本実施形態のＬＥＤ表示パネルは、ＬＥＤ実装モジュール補強部１１に側壁部１１２を備え、側壁部１１２の外側の表面に、表面側シートの内側の面が密着するような極めて簡便な機構によって、ＬＥＤ実装モジュール１０内部への水の浸入を抑制することができる点に大きな特徴がある。
【００４１】
従来の収容シートを備えるＬＥＤ表示パネルにおいては、収容シートのみで防水性を担保しようとした場合、収容シートの表面側シートが剥離を防止するために、シート同士を溶着するウエルダー溶接加工等により行う必要があった。しかしながら、本実施形態のＬＥＤ表示パネルであれば、ＬＥＤ実装モジュール補強部１１の形状を本発明独自の構成とすることにより防水性を担保することが可能である。そのため、シート同士をウエルダー溶接加工等の方法ではなく、より簡易な方法による接着で行うことが可能となり、生産性が極めて高い。
【００４２】
又、従来の収容シートを備えるＬＥＤ表示パネルにおいては、ＬＥＤ実装モジュールと表面側シートとを密着させる必要があり、ＬＥＤ実装モジュールの側面は必ずしも平面形状ではないため、接着性が低下する場合があった。本実施形態に関する防水性補強構造のように側壁部１１２の外側の表面に、表面側シートの内側の面が密着するような構成であれば、側壁部１１２の外側の表面を平面の形状とすることができるため、従来のＬＥＤ表示パネルに比べ接着性を向上させることができる。
【００４３】
本実施形態に関するＬＥＤ実装モジュール補強部１１の側壁部１１２を形成する方法は特に限定されない。例えば、板の側面を形成する板の端部、又は板の一の表面の端内側近傍に、その板と同じ材質又は異なる材質からなる板を接着するような方法であってもよい。又、板が金属からなる金属板である場合には、金属板の端部を折り曲げることにより側壁部１１２を形成してもよい。金属板の端部を折り曲げることにより形成することが側壁部１１２を容易に形成することができる観点から好ましい。
【００４４】
本実施形態に関するＬＥＤ実装モジュール補強部１１の材質は、収容シート１４の連接部１５の屈曲によって形状が殆ど変化しない程度の剛性を有する材質であれば特に制限はされず、例えば、ＪＩＳ  Ｋ７２４４−１に基づいて測定された、温度−ｔａｎδ曲線におけるｔａｎδピーク温度の極大値である貯蔵弾性率が５０ＭＰａ以上、好ましくは貯蔵弾性率が７０ＭＰａ以上の材質を挙げることができる。又、具体的な材質としては、ポリカーボネート樹脂やアクリル樹脂、アルミ、金、銀、ステンレス鋼、銅、クロム、亜鉛、錫等の金属やこれらの合金、セラミック等を例示することができる。剛性の高さ、加工の容易性、軽さ及び低コストの観点からアルミを用いることが特に好ましい。
【００４５】
特に、ＬＥＤ実装モジュール補強部としてアルミ等の金属を用いる場合、従来のＬＥＤ表示パネルのように平面形状ではないＬＥＤ実装モジュールと表面側シートとを接着させる場合に比べ、側壁部の外壁側表面と表面側シートとの接着が容易である。このため、側壁部の外壁側表面と表面側シートとを接着する接着剤の選択性が向上し、生産性が極めて高い。
【００４６】
又、アルミ等の金属は、樹脂等とは異なり光沢を有する。そのため、ＬＥＤ実装モジュール補強部１１としてアルミ等の金属を用いる場合、ＬＥＤ素子からの光をＬＥＤ実装モジュール補強部１１の側壁部１１２において反射することが可能となる。そのため、ＬＥＤ表示パネル１００の明るさを向上させることができる。
【００４７】
更に、アルミ等の金属は、樹脂等に比べ熱伝導率が高い。ＬＥＤ実装モジュール補強部１１としてアルミ等の金属を用いる場合、ＬＥＤ素子から発生する熱をＬＥＤ実装モジュール補強部１１の側壁部１１２において逃がすことが可能となる。そのため、ＬＥＤ表示パネル１００の放熱性を向上させることができる。
【００４８】
本実施形態に関するＬＥＤ実装モジュール補強部１１の厚さは、剛性を維持することのできる厚さであれば特に制限はされない。本実施形態に関するＬＥＤ実装モジュール補強部１１の厚さは、その材質等によって適宜変更して選択することができる。例えば、本実施形態に関するＬＥＤ実装モジュール補強部１１としてアルミを用いる場合には、０．１ｍｍ以上１．０ｍｍ以下であることが好ましく、０．４ｍｍ以上０．６ｍｍ以下であることがより好ましい。
【００４９】
尚、ＬＥＤ実装モジュール補強部の載置面１１１ａから外周から立設するように側壁部１１２が形成されることにより、ＬＥＤ実装モジュール自体の剛性（強度）を更に向上させることが可能となる。更に、ＬＥＤ実装モジュール補強部１１としてアルミ等の金属を用いる場合、側ＬＥＤ実装モジュール補強部の載置面１１１ａから外周から立設するように側壁部１１２が形成されることにより、上記のＬＥＤ表示パネルの明るさ及び放熱性を向上させる効果は更に高い。
【００５０】
［接着層］
側壁部１１２の内側の表面とＬＥＤ実装モジュール１０とを接着する接着層２４は、ＬＥＤ実装モジュール１０をＬＥＤ実装モジュール補強部に固定可能であって、収容シート等との密着性を有し、ＬＥＤ実装モジュール１０内部への水の浸入を抑制することができる程度の気密性を有する接着層２４であれば特に制限はされない。接着層としては、例えば、シリル基等のケイ素を有する官能基を有する樹脂を含有する樹脂層を例示することができる。又、接着層を形成する接着剤（シール剤）には樹脂等を劣化させる溶剤は含有されない接着剤（シール剤）であることが好ましい。そのような樹脂層を形成することのできる接着剤（シール剤）としては特殊ポリマーを主成分とした液状シール剤（ＴｈｒｅｅＢｏｎｄ１５３５（株）スリーボンド製）を例示することができる。
【００５１】
［収容シート］
収容シート１４は、ＬＥＤ実装モジュール１０を、安定的に収容することができ、又、ＬＥＤ表示パネル１００の使用中を通じてこれに収容されたＬＥＤ実装モジュール１０を保護する収容シートである。又、収容シート１４は、複数のＬＥＤ実装モジュール１０を連接した状態で、安定的に収容することもできる。収容シート１４は、２枚の可撓性を有するシートを、それぞれ表面側シート１２及び裏面側シート１３として用い、これらを重ね合わせて、両シート間に複数のＬＥＤ実装モジュール１０を安定的に収容可能な空間であるＬＥＤ収容部を形成しつつ、その他の部分を、ＬＥＤ実装モジュール１０を安定的に保持可能な態様で封止することによって形成される。
【００５２】
ＬＥＤ収容部は、表面側シート１２と裏面側シート１３とが、ＬＥＤ実装モジュール１０を収容するために必要な領域を除いた領域であって、当該ＬＥＤ実装モジュール１０を収容するために必要な領域間に形成される連接部１５を含む領域において、相互に密着されて封止部を形成することによって、当該封止部に囲まれた部分の袋状の空洞部として形成される。尚、収容シート１４の連接部１５とは、上記の通り、収容シート１４において、表面側シート１２と裏面側シート１３が密着されてＬＥＤ実装モジュール１０を封止する封止部となっている部分のうち、特に、複数のＬＥＤ実装モジュール１０の間に形成されている封止部であって、折畳み時に折り曲げ可能部分となる部分のことを言う。
【００５３】
収容シート１４を構成するシートとしては、連接部１５において折り畳むことができる程度の可撓性を有するシートであれば特に制限はされない。例えば、ビニール（軟質プラスチック）、アクリル、スチレン類等からなる公知の樹脂シートを適宜用いることができる。但し、本発明のＬＥＤ表示パネルにおいては、折畳み時の屈曲部の曲率半径を容易に充分に小さくしやすいという観点から、塩化ビニルを用いることが特に好ましい。尚、収容シート１４には、必要に応じてその他の所望の物性を付与するために、コーティング、又は着色化等を施してもよい。
【００５４】
［ＬＥＤ実装モジュール］
ＬＥＤ表示パネル１００を構成するＬＥＤ実装モジュール１０は、図３に示す通り、樹脂シート等からなる支持基板２１に金属配線部（図視せず）を形成してなるＬＥＤ素子用基板１に、ＬＥＤ素子３をマトリックス状に実装してなる発光部材である。
【００５５】
ＬＥＤ素子用基板１は、支持基板２１にＬＥＤ素子３を実装するための金属配線部（図示せず）が形成されてなる内部配線用の部材である。金属配線部は、少なくとも支持基板２１における情報表示面の側に形成されるが、所謂ドットマトリックス表示装置を構成する場合には、通常、多層の金属配線部が構成される。
【００５６】
ＬＥＤ素子用基板１には、支持基板２１の表面上及び金属配線部の表面上であって、ＬＥＤ実装用領域を除く部分（以下、「ＬＥＤ非実装領域」と言う）を覆って、樹脂基材等からなりＬＥＤ素子を外部衝撃から保護する機能を発揮しうるスペーサー２２が形成されていることが好ましい。特に支持基板２１が、樹脂フィルム等からなり可撓性を有するフレキシブル基板である場合にはこのスペーサー２２の配置は必須である。
【００５７】
スペーサー２２は、例えば、ＬＥＤ素子３がマトリックス状に実装されているマトリックス領域の外周を取り囲む部分にのみ形成されたものであってもよい。従来品にはこのような構造のものが多くみられる。しかし、スペーサー２２は、ＬＥＤ非実装領域全体に形成されているものであることがより好ましい。例えば、ポリカーボネートやアクリル等からなる樹脂シートであって、ＬＥＤ実装領域に対応する部分に貫通孔を形成したものを、上記マトリックス領域全体を覆う態様で積層する構成を好ましい構成の具体例として挙げることができる。スペーサー２２の構成をこのような構成とすることにより、従来よりも相対的に可撓性の高い、厚さが小さい樹脂シートで収容シートが構成されている本発明のＬＥＤ表示パネルにおいても、より確実にＬＥＤ素子３を外部衝撃等から保護することができる。
【００５８】
又、特にＬＥＤ表示パネルがドットマトリックス表示装置である場合、ＬＥＤ実装モジュール１０におけるＬＥＤ非実装領域の最表面には、コントラスト向上用の黒色層２３が形成されていることが好ましい。この黒色層２３は、スペーサー２２の表面を黒色顔料等によって着色したものであってもよいし、同顔料を含有させた樹脂基材であって、上記のスペーサー同様、ＬＥＤ素子実装領域に対応する部分に貫通孔を形成したものをスペーサー２２の上面に別途積層する構成であってもよい。
【００５９】
ＬＥＤ素子用基板１を構成する支持基板２１は、樹脂フィルム等からなり可撓性を有するフレキシブル基板であることが好ましい。支持基板２１をフレキシブル基板とすることにより、設置場所が曲面を含む壁面等である場合にも当該曲面に追従させてＬＥＤ表示パネルを設置することができる。又、支持基板２１をフレキシブル基板とすることにより、更には、ＬＥＤ実装モジュールとの接触に起因する収容シートの擦傷や破損の危険性を大幅に低減させることができる。但し、これに限らず、支持基板２１は、リジット基板等、一定の剛性を有するＬＥＤ素子用基板であってもよい。
【００６０】
フレキシブル基板の材料樹脂の好ましい例としては、ポリイミド（ＰＩ）、ポリエチレンナフタレート（ＰＥＮ）、非晶ポリアリレート、ポリサルフォン、ポリエーテルサルフォン、ポリフェニレンスルファイド、ポリエーテルエーテルケトン、ポリエーテルイミド、フッ素樹脂、液晶ポリマー等を挙げることができる。中でも、アニール処理等の耐熱性向上処理を施すことによって耐熱性と寸法安定性を向上させたポリエチレンナフタレート（ＰＥＮ）を特に好ましく用いることができる。又、難燃性の無機フィラー等の添加によって難燃性を向上させたポリエチレンテレフタレート（ＰＥＴ）も樹脂基材の材料樹脂として選択することができる。支持基板２１は、上記の通り、その他、剛性を有する材料、例えば、木材、金属、セラミック等からなるものであってもよい。
【００６１】
支持基板２１上に形成される金属配線部の配置は、ＬＥＤ素子３を所望のピッチでマトリックス状に実装することができる配置であれば特定の配置に限定されず、従来公知のＬＥＤ素子用基板と同様の配置も含めて任意の配置とすることができる。金属配線部の材料として用いられる金属としては、アルミ、金、銀、銅等の金属箔が例示できる。
【００６２】
ＬＥＤ素子用基板１に実装されることによりＬＥＤ実装モジュール１０を構成するＬＥＤ素子３は、Ｐ型半導体とＮ型半導体が接合されたＰＮ接合部での発光を利用した発光素子である。Ｐ型電極、Ｎ型電極を素子上面、下面に設けた構造と、素子片面にＰ型、Ｎ型電極の双方が設けられた構造が提案されている。ＬＥＤ素子用基板１における金属配線部へのＬＥＤ素子３の接合は、ハンダ接合により好ましく行うことができる。このハンダ接合は、リフロー方式、或いは、レーザー方式によることができる。
【００６３】
又、ＬＥＤ表示パネル１００には、必要に応じて、ＬＥＤ素子の発光面の上方のいずれかの層に拡散板２５を更に配置してもよい。拡散板２５は、光源となるＬＥＤ素子３からの出射光を均一に拡散させて輝度のバラつきを低減させる機能を有する。入射した光に拡散機能を与える光学特性を有するものであれば、特段限定なく従来公知の各種光学フィルムを用いることができる。例えば、ポリカーボネートやアクリル樹脂等からなる半透明の樹脂フィルム上に光拡散機能を発揮するために、微小でランダムなレンズアレイが全面に形成されている光学フィルム等を、拡散板２５の具体例として挙げることができる。
【００６４】
＜ＬＥＤ情報表示装置＞
上記において説明したＬＥＤ表示パネル１００を外部操作基盤７と接続することによって、ＬＥＤ表示パネル１００を情報表示部として備えるＬＥＤ情報表示装置２００とすることができる。
【００６５】
ＬＥＤ情報表示装置２００は、ＬＥＤ表示パネル１００を必要に応じて各種の補助器具（図視せず）によって自立させるか、或いは、設置場所の壁の表面に着設する等して実用される。
【００６６】
外部操作基盤７は、各ＬＥＤ実装モジュール１０に実装されているＬＥＤ素子３に対して、それぞれ個別に、点灯のタイミング、点灯時間等を制御する機能を有する部品・装置であり、例えば、タイミング制御をプログラム的に実行するアルゴリズムを実行可能プログラムとしてＲＯＭ化したもの、かかるアルゴリズムをＩＣチップとしてこれを搭載した基板等として実現することができる。この全体制御部は、使用勝手に応じて、例えばＬＥＤ実装モジュールの連接部１５とは別個の系統として、端部に設けるようにすることもできるが、配設位置に特に限定はない。
【００６７】
以上説明した通り、本発明のＬＥＤ表示パネルは、ＬＥＤ実装モジュール内部への水の浸入を抑制することができる。
【符号の説明】
【００６８】
１        ＬＥＤ素子用基板
１０      ＬＥＤ実装モジュール
１１      ＬＥＤ実装モジュール補強部
１１Ａ    従来のＬＥＤ実装モジュール補強部
１１１    底面部
１１１ａ  載置面
１１２    側壁部
１２      表面側シート
１２１    表面側シート
１２２    表面側透明シート
１３      裏面側シート
１４      収容シート
１５      連接部
２１      支持基板
２２      スペーサー
２３      黒色層
２４      接着層
２５      拡散板
３        ＬＥＤ素子
４        配線
５        中継基盤
６        ドライバ
７        外部操作基盤
Ｄ        隙間
１００    ＬＥＤ表示パネル
１００Ａ  従来のＬＥＤ表示パネル
２００    ＬＥＤ情報表示装置
【図１】
2017146370.tif 000003
【図２】
2017146370.tif 000004
【図３】
2017146370.tif 000005
【図４】
2017146370.tif 000006
【図５】
2017146370.tif 000007
【図６】
2017146370.tif 000008
【図７Ａ】
2017146370.tif 000009
【図７Ｂ】
2017146370.tif 000010